(57)【要約】【課題】レンズユニットのカメラケースへの取付けを容易にし、部品点数の削減が図れるカメラを提供する。【解決手段】カメラケース前面の撮影レンズが臨む開口３の周縁面を覆うように装飾用レンズリング４が取り付けられたカメラ１において、装飾用レンズリング４の背面に位置決めピン６を立設し、カメラケース前面の開口の周縁に位置決めピン７が挿通されるピン挿通孔７を形成し、レンズユニット５の前面に位置決めピン６が挿通される位置決め孔８を形成し、装飾用レンズリング４の位置決めピン６をカメラケース２のピン挿通孔７に挿通させ、更にカメラケース２を貫通した位置決めピン６の先端をレンズユニット５の位置決め孔８に挿通させることによってレンズユニット５をカメラケース２に精度よく位置決めするようにしている。【選択図】  図２
2006251366.tif 000002
【特許請求の範囲】
【請求項１】
カメラケース前面の撮影レンズが臨む開口の周縁面を覆うように装飾用レンズリングが取り付けられたカメラにおいて、
前記装飾用レンズリングの背面に位置決めピンを立設し、前記カメラケース前面の開口の周縁に前記位置決めピンが挿通される孔又は切欠きを形成し、前記撮影レンズを含むレンズユニットの前面に前記位置決めピンが挿通される位置決め孔を形成し、
前記装飾用レンズリングの位置決めピンを前記カメラケースの孔又は切欠きに挿通させ、更にカメラケースを貫通した前記位置決めピンの先端を前記レンズユニットの位置決め孔に挿通させることによってレンズユニットをカメラケースに位置決めするようにしたことを特徴とするカメラ。
【請求項２】
前記装飾用レンズリングの位置決めピンは、装飾用レンズリングとカメラケースとの位置決めを行うとともに、装飾用レンズリングとレンズユニットとの位置決めを行うことを特徴とする請求項１に記載のカメラ。
【請求項３】
前記装飾用レンズリングの位置決めピン及び前記レンズユニットの位置決め孔は、それぞれ複数設けられていることを特徴とする請求項１又は２に記載のカメラ。
【請求項４】
カメラケース前面の撮影レンズが臨む開口の周縁面を覆うように装飾用レンズリングが取り付けらたカメラにおいて、
前記撮影レンズを含むレンズユニットの前面に位置決めピンを立設し、前記カメラケース前面の開口の周縁に前記位置決めピンが挿通される孔又は切欠きを形成し、前記装飾用レンズリングの背面に前記位置決めピンが挿通される位置決め孔を形成し、
前記レンズユニットの位置決めピンを前記カメラケースの孔又は切欠きに挿通させ、更にカメラケースを貫通した前記位置決めピンの先端を前記装飾用レンズリングの位置決め孔に挿通させることによってレンズユニットをカメラケースに位置決めするようにしたことを特徴とするカメラ。
【請求項５】
前記レンズユニットの位置決めピン及び前記装飾用レンズリングの位置決め孔は、それぞれ複数設けられていることを特徴とする請求項４に記載のカメラ。
【発明の詳細な説明】
【技術分野】
【０００１】
本発明はカメラに係り、特にカメラケースの前面に装飾用レンズリングを備えたカメラのレンズユニットの位置決め構造に関する。
【背景技術】
【０００２】
一般に、カメラで撮影される画像と光学ファインダのファインダ像との角度ずれ等が生じないように、撮影レンズはカメラケースに対して精度よく位置決めする必要がある。
【０００３】
そこで、従来のカメラでは、撮影レンズを含むレンズユニットを別の取付け部材（インナー部品や金属フレームなど）に位置決めして取り付け、その取付け部材を更にカメラケースにねじ等によって取付けていた。
【０００４】
また、特許文献１に記載のレンズ付きフイルムユニットは、撮影用レンズ（レンズのみ）をカメラを解体することなく外部から取り付け、取り外しできるように前面からレンズ押えによってレンズを挟み込み、更にこのレンズ押えを前カバーに装着される化粧カバーによって圧着するように押さえている。
【特許文献１】特開平５−２８９２４６号公報
【発明の開示】
【発明が解決しようとする課題】
【０００５】
しかしながら、レンズユニットをインナー部品等の取り付け部材を介してカメラケースに取り付ける場合、カメラケースに取り付ける作業が煩雑になるばかりでなく、取付け部材を必要とし、それだけ部品点数も多くなるという問題がある。
【０００６】
また、特許文献１に記載の発明は、カメラを解体することなく外部から容易に交換可能な構造を主眼としており、化粧カバーはレンズユニットの一部品として機能している。
【０００７】
本発明はこのような事情に鑑みてなされたもので、レンズユニットのカメラケースへの取り付けを容易にし、かつ位置決め精度の向上及び部品点数の削減を図ることができるカメラを提供することを目的とする。
【課題を解決するための手段】
【０００８】
前記目的を達成するために請求項１に係る発明は、カメラケース前面の撮影レンズが臨む開口の周縁面を覆うように装飾用レンズリングが取り付けられたカメラにおいて、前記装飾用レンズリングの背面に位置決めピンを立設し、前記カメラケース前面の開口の周縁に前記位置決めピンが挿通される孔又は切欠きを形成し、前記撮影レンズを含むレンズユニットの前面に前記位置決めピンが挿通される位置決め孔を形成し、前記装飾用レンズリングの位置決めピンを前記カメラケースの孔又は切欠きに挿通させ、更にカメラケースを貫通した前記位置決めピンの先端を前記レンズユニットの位置決め孔に挿通させることによってレンズユニットをカメラケースに位置決めするようにしたことを特徴としている。      
【０００９】
近年、カメラのデザインも多様化し、その中でもカメラケース前面の撮影レンズが臨む開口の周縁面を装飾する装飾用レンズリングが大きくなってきている。請求項１に係る発明は、前記装飾用レンズリングをレンズユニットの位置決め部材として利用するようにしている。即ち、装飾用レンズリングの背面に位置決めピンを立設し、この位置決めピンとレンズユニット前面に形成された位置決め孔とを、カメラケース（孔又は切欠き）を介して嵌合させるようにしている。これにより、レンズユニットを位置決めするための別のインナー部品などの取り付け部材を不要にしている。
【００１０】
請求項２に示すように請求項１に記載のカメラにおいて、前記装飾用レンズリングの位置決めピンは、装飾用レンズリングとカメラケースとの位置決めを行うとともに、装飾用レンズリングとレンズユニットとの位置決めを行うことを特徴としている。即ち、前記装飾用レンズリングの位置決めピンは、カメラケースに形成された孔又は切欠きと嵌合して装飾用レンズリングをカメラケースに位置決めできるようにしている。
【００１１】
請求項３に示すように請求項１又は２に記載のカメラにおいて、前記装飾用レンズリングの位置決めピン及び前記レンズユニットの位置決め孔は、それぞれ複数設けられていることを特徴としている。
【００１２】
請求項４に係る発明は、カメラケース前面の撮影レンズが臨む開口の周縁面を覆うように装飾用レンズリングが取り付けらたカメラにおいて、前記撮影レンズを含むレンズユニットの前面に位置決めピンを立設し、前記カメラケース前面の開口の周縁に前記位置決めピンが挿通される孔又は切欠きを形成し、前記装飾用レンズリングの背面に前記位置決めピンが挿通される位置決め孔を形成し、前記レンズユニットの位置決めピンを前記カメラケースの孔又は切欠きに挿通させ、更にカメラケースを貫通した前記位置決めピンの先端を前記装飾用レンズリングの位置決め孔に挿通させることによってレンズユニットをカメラケースに位置決めするようにしたことを特徴としている。
【００１３】
即ち、請求項４に係る発明は、装飾用レンズリングに位置決め孔が形成され、レンズユニットに位置決めピンが立設されており、請求項１に係る発明とは位置決めピンと位置決め孔との関係が逆になっている。
【００１４】
請求項５に示すように請求項４に記載のカメラにおいて、前記レンズユニットの位置決めピン及び前記装飾用レンズリングの位置決め孔は、それぞれ複数設けられていることを特徴としている。
【発明の効果】
【００１５】
本発明によれば、カメラケース前面に取り付けられる装飾用レンズリングをレンズユニットの位置決めに利用するようにしたため、レンズユニットのカメラケースへの取り付けを容易にし、かつ位置決め精度の向上及び部品点数の削減を図ることができる。
【発明を実施するための最良の形態】
【００１６】
以下添付図面に従って本発明に係るカメラの好ましい実施の形態について詳説する。
【００１７】
〔第１の実施の形態〕
図１は本発明に係るカメラの第１の実施の形態を示した分解斜視図であり、図２は図１の各部品を組付けた状態を示した縦断面図である。
【００１８】
同図に示すように、カメラ１は、カメラケース２の前面の撮影レンズが臨む開口３の周縁面を覆う装飾用レンズリング４を備え、開口３の背面周縁に撮影レンズ５ａを含むレンズユニット５が設置されている。
【００１９】
レンズユニット５ａは、図示しない絞り機構やレンズ駆動機構等を有し、また、カメラ１がデジタルカメラの場合には、ＣＣＤ等の撮像素子も一体化されている。
【００２０】
上記レンズユニット５は、以下の実施の形態のようにしてカメラケース２に位置決めされている。
【００２１】
このカメラ１では、装飾用レンズリング４の背面に位置決めピン６、６が立設され（図２参照）、カメラケース２にピン挿通孔７、７が形成され、レンズユニット５の前面に位置決め孔８、８が形成されている。
【００２２】
そして、このカメラ１では、図２に示したように、カメラケース２のピン挿通孔７、７に装飾用レンズリング４の位置決めピン６、６を挿通させ、カメラケース２から突出した位置決めピン６、６にレンズユニット５の位置決め孔８、８を挿通させる。
【００２３】
これにより、装飾用レンズリング４は、その位置決めピン６、６と、カメラケース２のピン挿通孔７、７との嵌合によりカメラケース２に位置決めされる。同様に、レンズユニット５は、その位置決め孔８、８が、カメラケース２に位置決めされている装飾用レンズリング４の位置決めピン６、６に嵌合することにより、装飾用レンズリング４に対して位置決めされ、その結果、カメラケース２に位置決めされる。
【００２４】
尚、装飾用レンズリング４のカメラケース２への取り付けを容易にするとともに、カメラケース２への位置決めが可能なように、カメラケース２のピン挿通孔７、７は、一方を円形とし、他方を長孔とすることが好ましい。また、位置決めピンの断面形状は、円形に限らず、楕円形や多角形でもよい。
【００２５】
図３は本発明に係るカメラの第１の実施の形態の変形例を示す要部断面図である。尚、第１の実施の形態と共通する部分には、同一の符号を付し、その説明は省略する。
【００２６】
この第１の実施の形態の変形例では、装飾用レンズリング４に立設される位置決めピン９は、大径部９ａと小径部９ｂとを有している。この位置決めピン９の大径部９ａがカメラケース２のピン挿通孔７に嵌合して、装飾用レンズリング４がカメラケース２に位置決めされ、位置決めピン９の小径部９ｂがレンズユニット５の位置決め孔８に嵌合して、レンズユニット５が装飾用レンズリング４に位置決めされる。
【００２７】
このとき、位置決めピン９の小径部９ｂとレンズユニット５の位置決め孔８との嵌合により、レンズユニット５は、撮影光軸と直交する面（ＸＹ面）での位置決めが行われるとともに、位置決めピン９の大径部９ａと小径部９ｂとの段差部分により、撮影光軸方向（Ｚ方向）の位置決めが行われる。この場合の位置決めピン９は、少なくとも３つ設ける必要がある。
【００２８】
尚、装飾用レンズリング４のカメラケース２への固定は、装飾用レンズリング４の裏面への両面テープ、接着剤塗布による固定、ネジ締め固定、圧入固定、装飾用レンズリング４（金属削品等）の一部をカシメ固定、装飾用レンズリング側に爪を形成したスナップフィット固定等の固定方法を適用することができる。また、レンズユニット５のカメラケース２への固定も両面テープ、接着剤塗布による固定方法などを適用することができる。
【００２９】
〔第２の実施の形態〕
図４は本発明に係るカメラの第２の実施の形態を示す要部断面図である。尚、第１の実施の形態と共通する部分には、同一の符号を付し、その説明は省略する。
【００３０】
前述の第１の実施の形態では、装飾用レンズリング４側に位置決めピン６が立設され、レンズユニット５側に位置決め孔８が形成されているが、第２の実施の形態では、第１の実施の形態とは逆に、図４に示すように装飾用レンズリング４に位置決め孔１０が形成され、レンズユニット５の前面に位置決めピン１２が立設されている。
【００３１】
そして、カメラの組立て時には、レンズユニット５の位置決めピン１２をカメラケース２に形成されたピン挿通孔７に挿通させ、このカメラケース２を貫通した位置決めピン１２の先端を装飾用レンズリング４の位置決め孔１０に挿通させる。
【００３２】
尚、図４に示す実施の形態では、カメラケース２に形成されたピン挿通孔７にレンズユニット５の位置決めピン１２を挿通することで、レンズユニット５をカメラケース２に位置決めしているが、これに限らず、位置決めピン１２の径よりもピン挿通孔７を十分に大きくして位置決めピン１２をピン挿通孔７に遊挿し、図示しない手段によってカメラケース２に位置決めされた装飾用レンズリング４の位置決め孔１０に位置決めピン１２を嵌合させ、カメラケース２に位置決めされている装飾用レンズリング４に対して、レンズユニット５を位置決めするようにしてもよい。
【００３３】
また、第１、第２の実施の形態では、カメラケース２にピン挿通孔７を形成したが、位置決めピンが挿通できれば、孔に限らず、切欠きでもよい。
【図面の簡単な説明】
【００３４】
【図１】図１は本発明に係るカメラの第１の実施の形態を示した分解斜視図である。
【図２】図２は図１の各部品を組付けた状態を示した縦断面図である。
【図３】図３は本発明に係るカメラの第１の実施の形態の変形例を示す要部断面図である。
【図４】図４は本発明に係るカメラの第２の実施の形態を示す要部断面図である。
【符号の説明】
【００３５】
１…カメラ、２…カメラケース、３…開口、４…装飾用レンズリング、５…レンズユニット、６、９、１２…位置決めピン、７…ピン挿通孔、８、１０…位置決め孔
【図１】
2006251366.tif 000003
【図２】
2006251366.tif 000004
【図３】
2006251366.tif 000005
【図４】
2006251366.tif 000006